(57)【要約】【課題】  連結部の強度を高くして、狭いスペースでの確実な積層と併置が可能で転倒の虞れがなく、積層してもごみの投入を可能にする分別ごみ箱積層構造を提供する。【解決手段】  上方が開放された適宜形状のボックス状の複数のごみ箱１０を上下方向に積み重ねるように構成した分別ごみ箱積層構造において、前記ごみ箱１０の上部に投入枠体２０を介在させて複数個のごみ箱１０、１０・・を積み重ねるように構成したことにより、ごみの分別のために複数個準備するごみ箱１０を積層しても、ごみ箱１０自体に格別の細工をすることなく、投入枠体２０を利用してごみを投入することができるので、単純な構造のごみ箱１０を積層して狭いスペースにても複数のごみの分別が可能となる。【選択図】  図１
0003108941.tif 000002
【実用新案登録請求の範囲】
【請求項１】
上方が開放された適宜形状のボックス状の複数のごみ箱またはごみ箱を収納した枠体を上下方向に積み重ねるように構成した分別ごみ箱積層構造において、前記ごみ箱またはごみ箱を収納した枠体の上部に投入枠体を介在させて複数個のごみ箱またはごみ箱を収納した枠体を積み重ねるように構成したことを特徴とする分別ごみ箱積層構造。
【請求項２】
前記ごみ箱またはごみ箱を収納した枠体と投入枠体との間に、雌雄の縦連結部が形成されるとともに、これらの縦連結部がごみ箱またはごみ箱を収納した枠体の全周に渡って形成されるとともに、該連結部にポリ袋保持枠体を挿入可能に構成したことを特徴とする請求項１に記載の分別ごみ箱積層構造。
【請求項３】
前記ごみ箱またはごみ箱を収納した枠体の側面に、ごみ箱またはごみ箱を収納した枠体同士を横方向に連結するための雌雄の横連結部を形成したことを特徴とする請求項１または２に記載の分別ごみ箱積層構造。
【請求項４】
前記雌雄の横連結部が、ごみ箱またはごみ箱を収納した枠体の高さの半分以上の面接触により連結するように構成されたことを特徴とする請求項１から３のいずれかに記載の分別ごみ箱積層構造。
【請求項５】
前記雌雄の横連結部に楔面を形成したことを特徴とする請求項３または４に記載の分別ごみ箱積層構造。
【請求項６】
前記投入枠体のごみ投入口に扉を設置したことを特徴とする請求項１から５のいずれかに記載の分別ごみ箱積層構造。
【請求項７】
前記ごみ箱またはごみ箱を収納した枠体の雌雄の横連結部と同一規格の横連結部を設けた連結枠を既設の構造物に固定するとともに、該連結枠の横連結部にごみ箱またはごみ箱を収納した枠体の横連結部を連結することにより、積層されたごみ箱またはごみ箱を収納した枠体を既設の構造物に連結することを特徴とする請求項１から６のいずれかに記載の分別ごみ箱積層構造。
【請求項８】
前記ごみ箱またはごみ箱を収納した枠体の形状が、平面視で方形、円形、楕円形、多角形、扇形のいずれかから構成されたことを特徴とする請求項１から７のいずれかに記載の分別ごみ箱積層構造。
【考案の詳細な説明】
【技術分野】
【０００１】
本考案は、上方が開放された適宜形状のボックス状の複数のごみ箱またはごみ箱を収納した枠体を上下方向に積み重ねるように構成した分別ごみ箱積層構造に関する。
【背景技術】
【０００２】
近年、地球環境の劣化や資源の枯渇等の問題を解決するために、ごみ資源のリサイクル化が促進されている。ごみ資源のリサイクルにはごみの分別が欠かせないものであり、各家庭は言うに及ばず、各種の事業所、高速道路のサービスエリア、病院、鉄道の駅舎等人々が多く集まり、多量のごみが放出される施設では、ごみの分別・細分化には多くの苦労や努力がなされているものの、現状のごみ箱は比較的大型の箱状体から構成されており、多種類のごみの分別を行うには広いスペースを要して限界があり、頭を悩ませているところである。そこで、比較的小さなごみ箱を積み重ねてごみの分別を可能にしたものが提案された（例えば下記特許文献１参照）。また、ごみ箱の上部にごみ投入用のカバーを設置したものも提案されている（例えば下記特許文献２参照）。
【特許文献１】特開２００３−３４４０４号公報（請求項２および図４参照）
【特許文献２】特開平１０−１２９８０３号公報（請求項１および図１参照）
【考案の開示】
【考案が解決しようとする課題】
【０００３】
前記特許文献１に開示されたごみ箱は、図９に示すように、上下方向に複数のごみ容器２５ａ、２５ｂを、はめこみ用周段部３０と被はめこみ用周段部３１との嵌合により、着脱自在に重ねてごみ箱２１を構成し、最上段のごみ容器２５ａの側面上部に把手２３を突設し、最下段のごみ容器２５ｂの下面部にキャスター２２を設けてなるもので、下段のごみ容器２５ｂの側面開口部２８には内容器が引出し自在に収容される。
【０００４】
このような積重ね式の分別ごみ箱により、ある程度の種類のごみの分別が可能となったものの、今後予想されるさらに多種類のごみの分別に対応するには、多段にごみ容器を積み重ねる必要があって、転倒の危険性が高まり実用的ではない。しかも、ごみ容器を積み重ねた場合に、ごみの投入のためには、上段のもののように蓋２７を開閉自在に設けるか、下段のもののように側面開口部２８を開口する必要があった。そのため、ごみ箱の構造が複雑になったり、開口により強度不足に陥りがちであった。
【０００５】
また、前記特許文献２に開示されたごみ箱は、図１０に示すように、上部が開口のごみ箱本体４１と、このごみ箱本体４１の上部に着脱可能に取り付けられるカバー取付け枠４３と、該カバー取付け枠４３のほぼ中央に下方から着脱できる一対の軸受部４６と、該軸受部４６に着脱可能な軸４９と、該軸４９がほぼ中央に形成された回転可能なカバー４７とから構成されたもので、ごみ投入用のカバーをごみ箱本体４１と分離可能に構成したことによって、ごみ箱本体４１自体の構造を簡素化することができるとともに、カバー４７の取っ手５０を持って強く下方へ押すことで、カバー４７の軸４９が軸受部４６から外れるので、カバー４７を用いて、一杯になったごみ箱内のごみを下方へ圧縮して、さらに多くのごみを収納することができる。
【０００６】
しかしながら、投入のためのカバー取付け枠４３がごみ箱と分離構成されているものの、この従来例のものでは、ごみ箱の積み重ねを前提として開発されたものではなく、分別のために多種類のごみに対応できるように、狭いスペースでのごみ箱の積み重ねは到底不可能であった。そこで、本件考案者は複数の枠体ユニットを各ユニットの左右側面、上下面あるいは後面に設けた連結部により連結構成した連結自在・着脱式分別用ごみ箱を提案した（特願２００４−２５１１３）。この連結自在・着脱式分別用ごみ箱の提案により、ごみの投入・廃棄および清掃も容易で、なおかつ今後予想される多種類のごみの分別に対応することが可能になった。
【０００７】
本考案では、前記本件出願人の提案になる連結自在・着脱式分別用ごみ箱をさらに改良して、連結部の強度を高くして、狭いスペースでの確実な積層と併置が可能で転倒の虞れがなく、積層してもごみの投入を可能にする分別ごみ箱積層構造を提供することを目的とする。
【課題を解決するための手段】
【０００８】
そのため本考案は、上方が開放された適宜形状のボックス状の複数のごみ箱またはごみ箱を収納した枠体を上下方向に積み重ねるように構成した分別ごみ箱積層構造において、前記ごみ箱またはごみ箱を収納した枠体の上部に投入枠体を介在させて複数個のごみ箱またはごみ箱を収納した枠体を積み重ねるように構成したことを特徴とする。また本考案は、前記ごみ箱またはごみ箱を収納した枠体と投入枠体との間に、雌雄の縦連結部が形成されるとともに、これらの縦連結部がごみ箱またはごみ箱を収納した枠体の全周に渡って形成されるとともに、該連結部にポリ袋保持枠体を挿入可能に構成したことを特徴とする。また本考案は、前記ごみ箱またはごみ箱を収納した枠体の側面に、ごみ箱またはごみ箱を収納した枠体同士を横方向に連結するための雌雄の横連結部を形成したことを特徴とする。また本考案は、前記雌雄の横連結部が、ごみ箱またはごみ箱を収納した枠体の高さの半分以上の面接触により連結するように構成されたことを特徴とする。また本考案は、前記雌雄の横連結部に楔面を形成したことを特徴とする。また本考案は、前記投入枠体のごみ投入口に扉を設置したことを特徴とする。また本考案は、前記ごみ箱またはごみ箱を収納した枠体の雌雄の横連結部と同一規格の横連結部を設けた連結枠を既設の構造物に固定するとともに、該連結枠の横連結部にごみ箱またはごみ箱を収納した枠体の横連結部を連結することにより、積層されたごみ箱またはごみ箱を収納した枠体を既設の構造物に連結することを特徴とする。また本考案は、前記ごみ箱またはごみ箱を収納した枠体の形状が、平面視で方形、円形、楕円形、多角形、扇形のいずれかから構成されたことを特徴とするもので、これらを課題解決のための手段とするものである。
【考案の効果】
【０００９】
本考案では、上方が開放された適宜形状のボックス状の複数のごみ箱またはごみ箱を収納した枠体を上下方向に積み重ねるように構成した分別ごみ箱積層構造において、前記ごみ箱またはごみ箱を収納した枠体の上部に投入枠体を介在させて複数個のごみ箱またはごみ箱を収納した枠体を積み重ねるように構成したことにより、ごみの分別のために複数個準備するごみ箱またはごみ箱を収納した枠体を積層しても、ごみ箱またはごみ箱を収納した枠体自体に格別の細工をすることなく、投入枠体を利用してごみを投入することができるので、単純な構造のごみ箱またはごみ箱を収納した枠体を積層して狭いスペースにても複数のごみの分別が可能となる。
【００１０】
また、前記ごみ箱またはごみ箱を収納した枠体と投入枠体との間に、雌雄の縦連結部が形成されるとともに、これらの縦連結部がごみ箱またはごみ箱を収納した枠体の全周に渡って形成されるとともに、該連結部にポリ袋保持枠体を挿入可能に構成した場合は、連結部の構造が単純化され、連結部の面圧が小さくなって連結強度が高くなるとともに、積層された複数のごみ箱またはごみ箱を収納した枠体と投入枠体の転倒の虞れがない。しかも、ポリ袋の上端部をポリ袋保持枠体により保持できるので、連結部にてごみ箱またはごみ箱を収納した枠体と投入枠体との間に挟まれたポリ袋の上端部が外部に露呈することがないので、見苦しくない。さらに、前記ごみ箱またはごみ箱を収納した枠体の側面に、ごみ箱またはごみ箱を収納した枠体同士を横方向に連結するための雌雄の横連結部を形成した場合は、さらに、ごみ箱またはごみ箱を収納した枠体同士を横に併設して分別の種類を自在に増加させることが可能となる。
【００１１】
さらにまた、前記雌雄の横連結部が、ごみ箱またはごみ箱を収納した枠体の高さの半分以上の面接触により連結するように構成された場合は、充分に広い面積の連結部が確保できて、横方向での連結強度を向上させるとともに、積層された縦方向の連結についても有効に助勢することができる。さらに、前記雌雄の横連結部に楔面を形成した場合は、ごみ箱またはごみ箱を収納した枠体同士の横連結をがたつくことなく行え、隣接するごみ箱またはごみ箱を収納した枠体同士の整合位置決め機能も有する。また、前記投入枠体のごみ投入口に扉を設置した場合は、投入廃棄されたごみの臭気を遮断するとともに、蠅等が侵入することもなく、衛生的である。
【００１２】
さらにまた、前記ごみ箱またはごみ箱を収納した枠体の雌雄の横連結部と同一規格の横連結部を設けた連結枠を既設の構造物に固定するとともに、該連結枠の横連結部にごみ箱またはごみ箱を収納した枠体の横連結部を連結することにより、積層されたごみ箱またはごみ箱を収納した枠体を既設の構造物に連結する場合は、既設の構造物例えば自動販売機等と組み合わせて、その販売機能により生じた空き缶等のごみ処理に連携させることができて有効である。また、前記ごみ箱またはごみ箱を収納した枠体の形状が、平面視で方形、円形、楕円形、多角形、扇形のいずれかから構成された場合は、それらの形状に応じて、ごみの多方向からの投入を可能にしたり、ごみ箱またはごみ箱を収納した枠体の併設および積層体が既設柱を取り囲むことを可能にする等の種々の機能が発揮される。
【考案を実施するための最良の形態】
【００１３】
以下、本考案の実施例を図面に基づいて詳細に説明する。図１および図２は本考案の分別ごみ箱積層構造の第１実施例を示すもので、図１（Ａ）は積層状態を示す全体斜視図、図１（Ｂ）は投入枠体の変形例の斜視図、図１（Ｃ）はごみ箱の雌縦連結部の変形例の拡大断面図、図２（Ａ）は図１（Ａ）のＡ−Ａ断面図、図２（Ｂ）は図１（Ａ）のＢ矢視の平面図、図３は本考案の分別ごみ箱積層構造の第２実施例を示す全体斜視図、図４は本考案の分別ごみ箱積層構造の第３実施例を示す全体斜視図、図５は本考案の分別ごみ箱積層構造の第４実施例を示す全体斜視図、図６および図７は本考案の分別ごみ箱積層構造の第５実施例を示すもので、図６は設置状態を示す正面図、図７は設置前の分離図である。
【００１４】
本考案の基本的な構成は、図１（Ａ）に示すように、上方が開放された適宜形状のボックス状の複数のごみ箱１０を上下方向に積み重ねるように構成した分別ごみ箱積層構造において、前記ごみ箱１０の上部に投入枠体２０を介在させて複数個のごみ箱１０、１０・・を積み重ねるように構成したことを特徴とする。
【実施例１】
【００１５】
以下に詳述する。図１および図２は、本考案の分別ごみ箱積層構造の第１実施例を示すものである。平面視で方形の断面形状を有する箱状のごみ箱１０は上方が開放された開口を有する。ごみ箱１０の底面には、ごみ箱１０の側壁の板厚に相当する分だけ内側に寄って突起が形成されている。この突起がごみ箱１０を積層する際の雄の縦連結部１１を構成する。したがって、前記ごみ箱１０の上部開口が雌の縦連結部１２を構成する。
【００１６】
図１（Ａ）に示すように、ごみ箱１０の上部に積層される投入枠体２０は、ごみ箱１０と同様の方形形状をしており、四方がごみ投入口２３として開口される。つまり、箱状体の稜線部分を残して枠体が構成される。（四方を板体にて囲み、これらの板体にごみ投入口を穿設してもよい。）投入枠体２０の下部には、ごみ箱１０の上部の雌縦連結部１２と整合する雄縦連結部２１が形成され、その上部には、上方に積層されるごみ箱１０の底部の雄縦連結部１１が挿入される雌縦連結部２２（開口）が形成される。投入枠体２０の上部は、雌縦連結部２２が形成されていれば、天井部分が開放されていてもよいし、天井２７部分が形成されて閉じられた構造（図１（Ｂ）参照）とされてもよい。ごみ箱１０および投入枠体２０は、適宜の材質にて構成され、アルミ等の軽金属、プラスチック等からの一体成形およびこれら材質からの組立構造等適宜の材質と構造が採用され得る。また、投入枠体２０は、図１（Ｂ）の変形例に示すように、各ごみ投入口２３に扉２４が設置されてもよい。このような構成により、投入廃棄されたごみの臭気を遮断するとともに、蠅等が侵入することもなく、衛生的である。
【００１７】
ごみ箱１０の側面（図示の例では両側面）には、ごみ箱１０の高さの半分以上の高さを有する横連結部１３、１４が形成される。該横連結部は平面視Ｌ字形断面を呈しており、ごみ箱１０の左側に一対の雌横連結部１４、１４が、右側に一対の雄横連結部１３、１３が形成されている。これらの各横連結部について、雌横連結部１４に対して雄横連結部１３を上方から差し込む形態にて挿入（後述する横連結部の楔面の傾斜が逆に形成される場合には、雄横連結部１３に対して雌横連結部１４が上方から差し込まれる）して、互いの隣接するごみ箱１０、１０同士を連結して併設する。これらの横連結部１３、１４は両側のみに限定されることなく、必要に応じて前後面にも設置することができる。これら雌雄の横連結部の形状、形式についても適宜のものが採用され得る。
【００１８】
図２は図１（Ａ）のＡ−Ａ断面図およびＢ矢視平面図である。図２（Ａ）はごみ箱１０、１０間に投入枠体２０を介在させて積層する状態を示す断面図である。下位のごみ箱１０の上部の雌縦連結部１２に、投入枠体２０の下部の雄縦連結部２１が整合して挿入される。その際、ポリ袋１８が介在されるとよい。積層された投入枠体２０の上部の雌縦連結部２２に、上位のごみ箱１０の下部の雄縦連結部１１が整合して挿入される。このようにして上下方向のごみ箱１０、１０が連結して積層される。これらの雌雄の連結部については、図示の例のように、ごみ箱１０の上部あるいは投入枠体２０の上部がストレートに形成されて雌縦連結部を構成してもよいが、各部材上部のストレート部に雄縦連結部を受け入れるように雌縦連結部を刻設形成あるいは曲折形成するようにしてもよい。図２（Ｂ）はごみ箱１０を上方から見た平面図で、Ｌ字形断面に形成された雌雄の各横連結部１３、１４の設置状態がよく理解される。なお、図１（Ｃ）に示すように、前記ポリ袋１８の上縁がごみ箱１０の外部に露呈して見苦しい場合には、投入枠体２０の下部の雄縦連結部２１との整合性を保持（連結を可能）にしたままで、雌縦連結部１２に段差を設けて、該段差部にポリ袋上縁保持用の枠体１９を挿入するように構成することもできる。該ポリ袋保持用の枠体１９は、ゴミ袋１０あるいはごみ袋を収納する枠体の外周側に段差を設けて、該段差に枠体１９を挿入するようにしてもよい。
【００１９】
ごみ箱１０の側面に形成された雌雄の横連結部１３、１４については、例えば、左側面の雌横連結部１４の内側に雌楔面（下方が肉厚の傾斜面）１６が形成され、右側面の雄横連結部１３の内側に雄楔面（上方が肉厚の傾斜面）１５が形成される。これらの楔面１５、１６の傾斜が雌雄で逆でもよい。このような構成により、ごみ箱１０、１０を横方向に連結して併設する場合には、雌横連結部１４に対して雄横連結部１３を上方から差し込む形態にて挿入する。これにより、楔面の作用により、横方向に連結された互いのごみ箱１０、１０ががたつくことがない。雌雄の楔面１５、１６の傾斜は、連結される雌雄の横連結部１３、１４の互いの係止により、両者が横方向に隙間なく連結されるような寸法諸元とされる。
【００２０】
かくして、分別のためにごみ箱１０を複数個準備して積層しても、投入枠体２０を利用してごみを投入することができるので、投入口等を設けることのない単純な構造のごみ箱１０を使用することができる。また、横連結部１３、１４がごみ箱１０の高さの半分以上の面接触により連結するように構成されていることで、連結部の構造が単純化され、連結部の面圧が小さくなって連結強度が高くなるとともに、積層された複数のごみ箱と投入枠体の転倒の虞れがなく、充分に広い面積の連結部が確保できて、横方向での連結強度を向上させて、積層された縦方向の連結についても有効に助勢することができる。
【実施例２】
【００２１】
図３は本考案の分別ごみ箱積層構造の第２実施例を示す全体斜視図で、円形のごみ箱から構成された積層構造に関するものである。有底で平面視円形のごみ箱１０と少なくとも底無しの投入枠体２０から上下方向の積層、横方向の併設が行われる。図示の例では、ごみ箱１０と投入枠体２０との間の積層のための縦連結部には、互いに整合する円形の雌雄の縦連結部１２、２１および２２、１１が形成される。これらの縦連結部により、下位のごみ箱１０と投入枠体２０および投入枠体２０と上位のゴミ箱１０とが連結して積層される。投入枠体２０の側面には円形の空き缶等のごみ投入口２３が穿設されている。ごみ箱１０の側面には、一対のＬ字形からなる雌横連結部１４、１４とその反対側のＴ字形の雄横連結部１３とが設置され、これらの連結により、ごみ箱１０、１０が併設される。これらの雌雄の横連結部１３、１４にも前記実施例のような楔面が形成されてもよい、本例では雄横連結部１３の形状がＴ字形の部材１つで足りる。
【００２２】
本実施例では、円形の投入枠体２０が採用されているので、ごみ投入口２３を円周上に多数穿設して、いずれの方向からでも、ごみを投入することが可能となる。また、ごみ箱１０との間も円形の雌雄の縦連結部により連結して積層されるので、互いを相対回転させて投入枠体２０のごみ投入口２３と、ごみ箱１０の横連結部１３、１４との関係位置を自在に調節することが可能である。
【実施例３】
【００２３】
図４は本考案の分別ごみ箱積層構造の第３実施例を示す全体斜視図で、六角形のごみ箱から構成された積層構造に関するものである。有底で平面視六角形のごみ箱１０と少なくとも底無しの投入枠体２０から上下方向の積層、横方向の併設が行われる。ごみ箱１０と投入枠体２０との間には前記実施例のものと同様に積層のための雌雄の縦連結部が形成される。これらの縦連結部により、下位のごみ箱１０と投入枠体２０および投入枠体２０と上位のゴミ箱１０とが連結して積層される。投入枠体２０の六つの側面には空き缶等のごみ投入口２３がそれぞれ穿設されている。なお、本実施例でも、ごも投入口２３に扉を設置してもよい。
【００２４】
ごみ箱１０の適宜の側面には、一対のＬ字形からなる雌横連結部１４、１４とその反対側のＴ字形の雄横連結部１３とが設置される（図４の左側図面では図示省略）。これらの連結により、ごみ箱１０、１０が併設される。これらの雌雄の横連結部１３、１４にも前記実施例のような楔面が形成されてもよい、本例でも雄横連結部１３の形状がＴ字形の部材１つで足りる。本実施例では、多角形のゴミ箱１０および投入枠体２０を用いているので、多方向に横連結して併設すべきごみ箱を増設することが可能となる。
【実施例４】
【００２５】
図５は本考案の分別ごみ箱積層構造の第４実施例を示す全体斜視図で、扇形のごみ箱から構成された積層構造に関するものである。有底で平面視扇形のごみ箱１０と少なくとも底無しの投入枠体２０から上下方向の積層、横方向の併設が行われる。ごみ箱１０と投入枠体２０との間には前記実施例と同様に積層のための雌雄の縦連結部が形成される。これらの縦連結部により、下位のごみ箱１０と投入枠体２０および投入枠体２０と上位のゴミ箱１０（上位のごみ箱は図示省略されている）とが連結して積層される。本実施例では、扇形のごみ箱１０および投入枠体２０を横方向に連結していくことで、積層かつ併設して連結されたごみ箱１０と投入枠体２０とから構成される積層構造体を効率的に例えば既設の円柱の周囲に設置することができる。
【実施例５】
【００２６】
図６および図７は本考案の分別ごみ箱積層構造の第５実施例を示すもので、図６は設置状態を示す正面図、図７は設置前の分離図である。図７に示すように、ごみ箱１０の雌雄の横連結部１３、１４と同一規格の横連結部１３（あるいは１４）を設けた連結枠２５を既設の構造物、例えば自動販売機３０に接着層２６（他に、吸盤、磁石、ボルト等でもよい。）等により固定するとともに、該連結枠２５の横連結部１３にごみ箱１０の横連結部１４を連結することにより、投入枠体２０を介在させて積層されたごみ箱１０、１０を既設の構造物３０に連結するように構成したものである。図６はこのようにして設置された分別ごみ箱積層構造の正面図を示す。かくして、既設の構造物である自動販売機３０等と組み合わせて、例えばその販売機能により生じた空き缶等のごみ処理に連携させることができて有効である。
【実施例６】
【００２７】
図８は本考案の分別ごみ箱積層構造の第６実施例を示すもので、ごみ箱に代えて、ゴミ箱を収納した枠体の積層状態を示す全体斜視図である。図に示すように、本実施例では、上述したごみ箱１０に代えて、ごみ箱１０を収納した枠体１７を投入枠体２０を介在させて積層するよう構成したもので、枠体１７における雌雄の縦連結部や横連結部については、上述のごみ箱１０に形成した各実施例のものと同様であるので説明を省略する。本実施例では、枠体１７の側面からごみ箱１０を引き出し自在に収納したもので、あたかも、前記図２にて説明したポリ袋１８に代えて、ごみ箱１０を収納した形態が採用された。これにより、枠体１７を投入枠体２０を介在させて積層したままでも、枠体１７からごみ箱１０のみを取り出して、ごみを廃棄したりごみ箱１０を掃除したりできる。取り廻しがやや面倒になるものの、図１（Ｃ）にて説明したようなポリ袋１８を使用することもできる。また、前述の各実施例におけるごみ箱１０に代えて、すべてごみ箱１０を収納した枠体１７に代えることができることは言うまでもない。
【００２８】
以上、本考案の実施例について説明してきたが、本考案の趣旨の範囲内にて、平面視の断面形状を含むごみ箱またはごみ箱を収納した枠体の形状（ごみ箱またはごみ箱を収納した枠体には分別されるごみの種類を表示できる表示部が適宜の形態で設置し得る。ごみ箱の後面に固着部を設けて既設構造物に固定してごみ箱積層体の転倒を防止するように構成してもよい。）、形式およびその材質（鋼板、アルミ等の金属、プラスチック、木材、強化紙材、ステンレス網状体等）、投入枠体の形状（平面視形状はごみ箱と同様。また、ごみ投入口については、稜線部分を残した箱状体の他、無底箱状体の側面に適宜形状のごみ投入口を穿設してもよい。）、形式およびその材質（ごみ箱と同様）、雌雄の縦連結部の形状（ストレート状の箱面とやや小径の雄縦連結部の組合せ、ストレート状の箱面とやや大径の雌縦連結部の組合せ、雌雄のいずれが上部でもよい。場合によっては、ストレートの箱状体のごみ箱と投入枠体の上下にやや大径の縦連結部を形成して組み合わせてもよい。その場合は、投入枠体の上部に形成した天井部が上位のごみ箱のストッパとして機能する。）、形式、雌雄の横連結部の形状（実施例のように向きを代えたＬ字形を組み合わせて雌雄の横連結部を構成してもよいし、一対のＬ字形とＴ字形とで雌雄の横連結部を構成してもよい。その他、連結部が面となる適宜の形状が採用され得る。設置位置についても両側面の他、適宜前後側面にも設置できる。その上下長さについても、ごみ箱の高さの半分以上が好適であるが、面接触による適正な連結強度が確保できれば、半分程度でもよい。）、形式、横連結部における楔面の形状（角度等）、形式（金属により構成される場合には、楔面等にゴム等の緩衝材が貼設されてもよい。）等については適宜選定できる。
【図面の簡単な説明】
【００２９】
【図１】本考案の分別ごみ箱積層構造の第１実施例を示すもので、図１（Ａ）は積層状態を示す全体斜視図、図１（Ｂ）は投入枠体の変形例を示す斜視図、図１（Ｃ）はごみ箱の雌縦連結部の変形例の拡大断面図である。
【図２】同、図２（Ａ）は図１（Ａ）のＡ−Ａ断面図、図２（Ｂ）は図１（Ａ）のＢ矢視の平面図である。
【図３】本考案の分別ごみ箱積層構造の第２実施例を示す全体斜視図である。
【図４】本考案の分別ごみ箱積層構造の第３実施例を示す全体斜視図である。
【図５】本考案の分別ごみ箱積層構造の第４実施例を示す全体斜視図である。
【図６】本考案の分別ごみ箱積層構造の第５実施例を示すもので、設置状態の正面図である。
【図７】同、設置前の分離図である。
【図８】本考案の分別ごみ箱積層構造の第６実施例を示すもので、ごみ箱に代えて、ゴミ箱を収納した枠体の積層状態を示す全体斜視図である。
【図９】第１従来例の積重ね式のごみ箱の全体斜視図である。
【図１０】第２従来例のカバー付きごみ箱の全体側断面図である。
【符号の説明】
【００３０】
１０      ごみ箱
１１      雄縦連結部
１２      雌縦連結部
１３      雄横連結部
１４      雌横連結部
１５      雄楔面
１６      雌楔面
１７      ごみ箱を収納した枠体
１８      ポリ袋
１９      ポリ袋保持枠体
２０      投入枠体
２１      雄縦連結部
２２      雌縦連結部
２３      ごみ投入口
２４      扉  
２５      連結枠
２６      接着層
２７      天井
【図１】
0003108941.tif 000003
【図２】
0003108941.tif 000004
【図３】
0003108941.tif 000005
【図４】
0003108941.tif 000006
【図５】
0003108941.tif 000007
【図６】
0003108941.tif 000008
【図７】
0003108941.tif 000009
【図８】
0003108941.tif 000010
【図９】
0003108941.tif 000011
【図１０】
0003108941.tif 000012